(57)【要約】【課題】拡大表示を迅速、且つ低消費電力で実現でき、しかも小型機器に搭載可能な画像表示装置を提供する。【解決手段】コントロール回路２３は、ある１水平走査期間において、第１ラインバッファに格納されたデジタルビデオ信号ＤＡＴＡのラインバッファリード用クロックＲＣＫの周波数を、該第１ラインバッファ２１に格納されたデジタルビデオ信号ＤＡＴＡの表示部１０への転送クロックとしてのスタートクロックＳ＿ＣＫの周波数のｎ（ｎ＞１）分の１になるように設定する。これにより、同じデジタルビデオ信号ＤＡＴＡを、表示部１０に対して続けてｎ回転送するようになり、画像を横方向（水平方向）にｎ倍に拡大することができる。【選択図】　図１
2004012995.tif 000002
【特許請求の範囲】
【請求項１】
デジタル映像信号が表示データとして入力されることで画像表示を行う画像表示部と、
外部のデジタル映像信号源の１水平走査期間の表示データのうち、ｎ（ｎ＞１）分の１の表示データを格納する記憶手段と、
上記デジタル映像信号源の１水平走査期間毎に、表示データのうち、ｎ（ｎ＞１）分の１の表示データを一方の記憶手段に記憶させると共に、他方の記憶手段に格納された表示データを読み出して上記画像表示部に転送させる制御手段とを有し、
上記制御手段は、上記記憶手段に格納された表示データの読み出しクロック周波数を、該記憶手段に格納された表示データの上記画像表示部への転送クロック周波数のｎ（ｎ＞１）分の１になるように設定することを特徴とする画像表示装置。
【請求項２】
上記画像表示部は、複数の信号線と、これら信号線に直交配置された複数の走査線と、入力された表示データに基づいて、各信号線に印加する駆動信号を生成するデータ信号線駆動回路と、各走査線を選択するための駆動信号を生成する走査信号線駆動回路とを備え、
上記走査信号線駆動回路は、ｎ（ｎ＞１）本の走査線を同時に選択可能な駆動信号を生成することを特徴とする請求項１記載の画像表示装置。
【請求項３】
デジタル映像信号が表示データとして入力されることで画像表示を行う画像表示部を備えた画像表示装置において、
上記画像表示部は、複数の信号線と、これら信号線に直交配置された複数の走査線と、入力された表示データに基づいて、各信号線に印加する駆動信号を生成するデータ信号線駆動回路と、各走査線を選択するための駆動信号を生成する走査信号線駆動回路とを有し、
上記走査信号線駆動回路は、ｎ（ｎ＞１）本の走査線を同時に選択可能な駆動信号を生成することを特徴とする画像表示装置。
【請求項４】
上記データ信号線駆動回路は、１垂直水平期間のｎ分の（ｎ−１）の期間停止することを特徴とする請求項２または３の何れかに記載の画像表示装置。
【請求項５】
上記記憶手段に、ラインバッファを使用することを特徴とする請求項１ないし４の何れか１項に記載の画像表示装置。
【発明の詳細な説明】
【０００１】
【発明の属する技術分野】
本発明は、映像信号としてデジタル信号を入力して画像表示を行うデジタル方式の画像表示装置に関する。
【０００２】
【従来の技術】
従来、デジタル方式の画像表示装置における拡大表示は、画像表示装置側で行うのではなく、外部信号源（例えばパソコン）内のグラフィックスコントローラやＣＰＵがプログラム処理により行われていた。
【０００３】
例えばパソコン内において、図１０に示すように、（１）拡大コマンドがグラフィックスコントローラあるいはＣＰＵに入力されると、（２）ＶＲＡＭ内のデータを拡大処理し、（３）拡大処理後のデータを画像表示装置へ出力することにより、拡大表示を行っていた。
【０００４】
また、特開平６−２５９２１９号公報には、ホストＣＰＵとパネルディスプレイの間で縮小表示、パニング表示、拡大表示、混在表示等を行うハードウェアを追加することで、画像表示装置側で拡大表示等の表示処理を行う技術が開示されている。
【０００５】
【発明が解決しようとする課題】
しかしながら、図１０に示した技術では、拡大処理を、グラフィックスコントローラやＣＰＵがプログラム処理によって行っているため、画像表示装置において拡大された画像を表示するまでに時間がかかるという問題が生じる。
【０００６】
しかも、プログラム処理を行っている間、グラフィックスコントローラやＣＰＵが駆動し続けているので、処理に時間がかかればそれだけ消費電力が増大するという問題が生じる。
【０００７】
そこで、プログラム処理時間を短縮させるために、グラフィックスコントローラやＣＰＵの性能を向上させることが考えられるが、価格に見合うだけの向上を図ることができない。
【０００８】
このように、グラフィックスコントローラやＣＰＵの性能を向上させても、拡大表示をプログラム処理で行っている限り、価格上昇だけを招き、表示にかかる時間の大幅な短縮と、消費電力の大幅な低減を図ることはできない。
【０００９】
一方、特開平６−２５９２１９号に開示された技術では、画像表示装置側で拡大表示等の処理を行うようになっているが、画像表示装置内にフレームメモリをもった大規模なものとなるため、簡便さ・高速応答・低消費電力といった近年のモバイル用途、すなわち小型機器への搭載には向かないという問題が生じる。
【００１０】
本発明は、上記の各問題点に鑑みなされたものであって、その目的は、拡大表示を迅速、且つ低消費電力で実現でき、しかも小型機器に搭載可能な画像表示装置を提供することにある。
【００１１】
【課題を解決するための手段】
上記の課題を解決するために、本発明の画像表示装置は、デジタル映像信号が表示データとして入力されることで画像表示を行う画像表示部と、外部のデジタル映像信号源の１水平走査期間の表示データのうち、ｎ（ｎ＞１）分の１の表示データを格納する記憶手段と、上記デジタル映像信号源の１水平走査期間毎に、表示データのうち、ｎ（ｎ＞１）分の１の表示データを一方の記憶手段に記憶させると共に、他方の記憶手段に格納された表示データを読み出して上記画像表示部に転送させる制御手段とを有し、上記制御手段は、上記記憶手段に格納された表示データの読み出しクロック周波数を、該記憶手段に格納された表示データの上記画像表示部への転送クロック周波数のｎ（ｎ＞１）分の１になるように設定することを特徴としている。
【００１２】
上記の構成によれば、記憶手段に格納された表示データの読み出しクロック周波数を、該記憶手段に格納された表示データの上記画像表示部への転送クロック周波数のｎ（ｎ＞１）分の１になるように設定することで、該記憶手段に格納された外部のデジタル映像信号源の１水平走査期間の表示データのうち、ｎ分の１の表示データを、画像表示部へｎ回続けて転送することになる。これにより、画像を水平方向（横方向）にｎ倍拡大させることができる。以下、画像の水平方向を横方向、垂直方向を縦方向として説明する。
【００１３】
このように、記憶手段に格納されている表示データの読み出しクロック周波数を、画像表示部への転送クロック周波数に対して、変更するだけで、簡単に画像の拡大表示、ここでは横方向の拡大表示を行うことができる。
【００１４】
従って、従来のように、拡大表示をプログラム処理によって行う必要がないので、外部信号源（パソコン等）に負担をかけずに、高速に、且つ低消費電力で画像の拡大表示を可能としている。
【００１５】
また、上記記憶手段は、１水平走査期間の表示データのうち、ｎ分の１の表示データのみが格納されるようになっているので、記憶手段の記憶容量は小さくてもよい。つまり、１水平走査期間の表示データ分、すなわち１ライン分の表示データが格納できるラインバッファのような容量およびサイズの小さいな記憶手段で十分である。
【００１６】
したがって、従来のように、表示画面全体の表示データを格納するフレームメモリのような大型のメモリを必要としないので、画像表示装置の小型化を図ることが可能となり、携帯電話等の小型機器に搭載可能となる。
【００１７】
また、上記画像表示部は、複数の信号線と、これら信号線に直交配置された複数の走査線と、入力された表示データに基づいて、各信号線に印加する駆動信号を生成するデータ信号線駆動回路と、各走査線を選択するための駆動信号を生成する走査信号線駆動回路とを備え、上記走査信号線駆動回路は、ｎ（ｎ＞１）本の走査線を同時に選択可能な駆動信号を生成するようにしてもよい。
【００１８】
この場合、走査信号線駆動回路は、ｎ（ｎ＞１）本の走査線を同時に選択可能な駆動信号を生成することで、走査線をｎ行ずつ選択することが可能となり、画像を縦方向にｎ倍に拡大することができる。
【００１９】
したがって、請求項１の構成において、画像は横方向にｎ倍拡大されるようになっているので、縦横方向に２倍に拡大された表示画像を得ることができる。
【００２０】
また、デジタル映像信号が表示データとして入力されることで画像表示を行う画像表示部を備えた画像表示装置において、上記画像表示部は、複数の信号線と、これら信号線に直交配置された複数の走査線と、入力された表示データに基づいて、各信号線に印加する駆動信号を生成するデータ信号線駆動回路と、各走査線を選択するための駆動信号を生成する走査信号線駆動回路とを有し、上記走査信号線駆動回路は、ｎ（ｎ＞１）本の走査線を同時に選択可能な駆動信号を生成するようにしてもよい。
【００２１】
この場合、走査信号線駆動回路は、ｎ（ｎ＞１）本の走査線を同時に選択可能な駆動信号を生成することで、走査線をｎ行ずつ選択することが可能となり、画像を縦方向にのみｎ倍に拡大することができる。
【００２２】
しかも、走査線線駆動回路によって、走査線を同時にｎ本選択するだけで、画像を縦方向にｎ倍に拡大することができるので、従来のように、拡大表示をプログラム処理によって行う必要がない。従って、外部信号源（パソコン等）に負担をかけずに、高速に、且つ低消費電力で画像の拡大表示を可能としている。
【００２３】
さらに、上記データ信号線駆動回路は、１垂直水平期間のｎ分の（ｎ−１）の期間停止するようにしてもよい。
【００２４】
この場合、１垂直走査期間のｎ分の（ｎ−１）の期間、データ信号線駆動回路が停止するようになっているので、その分の消費電力を低減することができる。
【００２５】
なお、上記走査信号線駆動回路は、１垂直走査期間のｎ分の１の期間で画面全体の更新を終了させることができるので、１垂直走査期間のｎ分の（ｎ−１）の期間、データ信号線駆動回路が停止しても画像表示に問題は生じない。
【００２６】
【発明の実施の形態】
本発明の一実施の形態について説明すれば、以下の通りである。なお、本実施の形態では、画像表示装置として、デジタル映像信号を入力して画像表示を行う液晶表示装置を例に説明するが、画像表示装置としてはマトリクス方式の表示装置であればその種類を問わない。例えば、有機ＥＬ（Ｅｌｅｃｔｒｏ　Ｌｕｍｉｎｅｓｃｅｎｃｅ）等の表示素子を用いた表示装置であっても同様である。
【００２７】
本実施の形態に係る液晶表示装置は、図１に示すように、画像表示を行う表示部１０と、該表示部１０に供給する信号を処理する信号処理部２０とを備えた構成となっている。
【００２８】
上記表示部１０は、マトリクス状に配置された画素のスイッチング素子としてＴＦＴ（Ｔｈｉｎ　Ｆｉｌｍ　Ｔｒａｎｓｉｓｔｏｒ）を使用するアクティブマトリクス方式の液晶パネルからなり、該液晶パネルを駆動させるためのソースドライバ（データ信号線駆動回路）１１とゲートドライバ（走査信号線駆動回路）１２とを有し、これら各ドライバには、上記信号処理部２０にて処理された信号が入力されるようになっている。
【００２９】
上記ソースドライバ１１には、上記信号処理部２０からの送出されるデジタルビデオ信号ＤＡＴＡ、スタート信号Ｓ＿ＳＰ、クロック信号Ｓ＿ＣＫ、ＰＯＷＥＲ＿ＳＡＶＥ信号が入力される。
【００３０】
そして、上記ソースドライバ１１は、１水平走査期間のデジタルビデオ信号ＤＡＴＡを記憶し、このデジタルビデオ信号ＤＡＴＡをアナログ信号に変換してボルテージフォロアより表示部１０内の各データ信号線ＳＬｉ（図示せず）に書き込むようになっている。
【００３１】
一方、上記ゲートドライバ１２には、上記信号処理部２０から送出されるスタート信号Ｇ＿ＳＰ、クロック信号Ｇ＿ＣＫが入力される。
【００３２】
そして、上記ゲートドライバ１２は、クロック信号Ｇ＿ＣＫなどのタイミング信号に同期して、表示部１０内の走査信号線ＧＬｉ（図示せず）を順次選択し、画素内にあるスイッチング素子の開閉を制御することで、各データ信号線ＳＬｉに書き込まれたビデオ信号を各画素に書き込むと共に、各画素に保持させるようになっている。
【００３３】
また、上記ゲートドライバ１２は、走査信号線ＧＬをｎ（ｎ＞１）本同時に選択可能なようになっている。例えば、画像の縦方向に２倍拡大する場合、ゲートドライバ１２は、走査信号線ＧＬを２本同時に選択する。また、画像の縦方向にｎ倍拡大する場合、ゲートドライバ１２は、走査信号線ＧＬをｎ本同時に選択する。このゲートドライバ１２の走査信号線の同時選択制御は、図示しない制御回路によって行われている。
【００３４】
上記信号処理部２０は、外部の信号源３０からの映像信号としてのデジタルビデオ信号ＤＡＴＡをラインデータとして格納する２つのラインバッファ（第１ラインバッファ２１、第２ラインバッファ２２）と、各ラインバッファに対するデータの書き込み及び読み出し制御を行うコントロール回路２３と、２つのスイッチ回路（第１スイッチ回路２４、第２スイッチ回路２５）とを含んだ構成となっている。
【００３５】
上記第１ラインバッファ２１及び第２ラインバッファ２２は、何れも１水平走査期間のｎ（ｎ＞１）分の１のデジタルビデオ信号ＤＡＴＡを格納するようになっている。
【００３６】
そして、第１ラインバッファ２１には、上記コントロール回路２３から送出されるドットクロックＷＣＫ１、ライトネーブル信号ＷＥ１、リードネーブル信号ＲＥ１、ラインバッファリード用クロックＲＣＫ１が入力され、各信号に基づいて、格納されたデジタルビデオ信号ＤＡＴＡが読み出される。
【００３７】
一方、第２ラインバッファ２２には、上記コントロール回路２３から送出されるドットクロックＷＣＫ２、ライトネーブル信号ＷＥ２、リードネーブル信号ＲＥ２、ラインバッファリード用クロックＲＣＫ２が入力され、各信号に基づいて、格納されたデジタルビデオ信号ＤＡＴＡが読み出される。
【００３８】
上記第１ラインバッファ２１と第２ラインバッファ２２とは、一方がデジタルビデオ信号ＤＡＴＡを格納している間、すなわちデジタルビデオ信号ＤＡＴＡを受信している間、他方が格納しているデジタルビデオ信号ＤＡＴＡを表示部１０に送出（送信）するようになっている。
【００３９】
例えば、外部の信号源３０から送出されたデジタルビデオ信号ＤＡＴＡが第１ラインバッファ２１に格納されている間、第２ラインバッファ２２に格納されたデジタルビデオ信号ＤＡＴＡを表示部１０に送出するようになっている。
【００４０】
このときのデジタルビデオ信号ＤＡＴＡが流れる経路の切り替えを、第１スイッチ回路２４と第２スイッチ回路２５とで行っている。
【００４１】
上記第１スイッチ回路２４は、外部の信号源３０からのデジタルビデオ信号ＤＡＴＡを第１ラインバッファ２１と第２ラインバッファ２２の何れに転送するかの切り替えを行うスイッチ回路であり、上記第２スイッチ回路２５は、第１ラインバッファ２１と第１スイッチ回路２４の何れに記憶されているＤＡＴＡ信号を送出するかの切り替えを行うスイッチ回路である。
【００４２】
そして、上記第１スイッチ回路２４は、コントロール回路２３から送出されるリードスイッチ制御信号ＲＳＷにより切替制御され、上記第２スイッチ回路２５は、コントロール回路２３から送出されるライトスイッチ制御信号ＷＳＷにより切替制御される。
【００４３】
上記コントロール回路２３は、上記外部の信号源３０から送出されたドットクロックＷＣＫ、水平同期信号ＨＳＹＮ、垂直同期信号ＶＳＹＮが入力され、上述した各制御信号を生成するようになっている。
【００４４】
上記構成の液晶表示装置では、縦横各々ｎ（ｎ＞１）倍の拡大が可能で、拡大するエリアも任意の場所から可能となっている。なお、本実施の形態では、ｎ＝２、すなわち縦横各々２倍拡大で、画像の左上４分の１のエリアを拡大表示する場合について説明する。ｎ≧３や任意のエリアの拡大については、第１ラインバッファ２１、第２ラインバッファ２２に書き込むデータの長さと開始位置を変えて、且つ、読み出しクロックを遅くすることで実現できる。
【００４５】
ここで、拡大表示時の第１ラインバッファ２１のデジタルビデオ信号ＤＡＴＡの書き込み動作と読み出し動作について、図２ないし図５を参照しながら以下に説明する。
【００４６】
上記第１スイッチ回路２４と第２スイッチ回路２５とは、図４に示すタイミングチャートに基づいて切替制御されている。例えば、第１スイッチ回路２４の切替制御を行うリードスイッチ制御信号ＲＳＷがハイレベルのとき、第１ラインバッファ２１にデジタルビデオ信号ＤＡＴＡが格納できるように切替え、リードスイッチ制御信号ＲＳＷがローレベルのとき、第２ラインバッファ２２にデジタルビデオ信号ＤＡＴＡが格納できるように切り替えるようにし、また、第２スイッチ回路２５の切替制御を行うライトスイッチ制御信号ＷＳＷがハイレベルのとき、第２ラインバッファ２２に格納されたデジタルビデオ信号ＤＡＴＡを読み出すように切替え、ライトスイッチ制御信号ＷＳＷがローレベルのとき、第１ラインバッファ２１に格納されたデジタルビデオ信号ＤＡＴＡを読み出すように切替える。
【００４７】
なお、リードスイッチ制御信号ＲＳＷとライトスイッチ制御信号ＷＳＷとは、１水平走査期間毎に極性が反転するようになっている。つまり、各ラインバッファにおけるデジタルビデオ信号ＤＡＴＡの書き込みと読み出しとが１水平期間毎に切り替わるようになっている。
【００４８】
以上のことから、ある１水平走査期間では、第１ラインバッファ２１はデジタルビデオ信号ＤＡＴＡの書き込み動作で第２ラインバッファ２２はデジタルビデオ信号ＤＡＴＡの読み出し動作となり、次の１水平走査期間では、第１ラインバッファ２１はデジタルビデオ信号ＤＡＴＡの読み出し動作で第２ラインバッファ２２はデジタルビデオ信号ＤＡＴＡの書き込み動作となる。
【００４９】
次に、図２および図３に示すタイミングチャートを用いて、第１ラインバッファ２１のデジタルビデオ信号ＤＡＴＡの書き込み動作と読み出し動作について説明する。
【００５０】
図２は、ある１水平走査期間において、第１ラインバッファ２１へのデジタルビデオ信号ＤＡＴＡの書き込み動作を示すタイミングチャートである。このタイミングチャートでは、１水平走査期間を、コントロール回路２３から送出されるドットクロックＷＣＫ１のｎ周期分としている。
【００５１】
図２のタイミングチャートに示すように、１水平走査期間の前半の１／２の期間、コントロール回路２３から第１ラインバッファ２１に送出されるライトネーブル信号ＷＥ１をハイレベルにすることで、第１ラインバッファ２１には、デジタルビデオ信号ＤＡＴＡの前半の１／２のみが書き込まれるように制御される。
【００５２】
図３は、図２に示す１水平走査期間の次の１水平走査期間において、第１ラインバッファ２１からのデジタルビデオ信号ＤＡＴＡの読み出し動作を示すタイミングチャートである。このタイミングチャートでは、１水平走査期間を、コントロール回路２３からクロック信号Ｓ＿ＣＫとして表示部１０に転送される転送クロックＯＵＴＣＫのｎ周期分としている。なお、この転送クロックＯＵＴＣＫは、外部の信号源３０からのクロック周波数そのままとなるように制御されている。
【００５３】
図３のタイミングチャートに示すように、ラインバッファリード用クロックＲＣＫ１が転送クロックＯＵＴＣＫの１／２周期になるようにコントロール回路２３にて制御されている。したがって、表示部１０のソースドライバ１１へは、同じデジタルビデオ信号ＤＡＴＡが続けて２回送出されることになり、画像は横方向に２倍に拡大される。
【００５４】
ソースドライバ１１へのデジタルビデオ信号ＤＡＴＡの送出処理に並行して、ゲートドライバ１２は、図５に示すように、走査信号線ＧＬｉを同時に２本ずつ選択している。このように、走査信号線ＧＬｉを２本ずつ選択することで、画像の縦方向に２倍拡大される。
【００５５】
図５に示すタイミングチャートから、ｉ＝Ｖ本の走査信号線ＧＬは、２本ずつ選択されるので、１垂直走査期間（クロック信号Ｇ＿ＣＫのＶ周期分）の半分で１画面分の更新が終了することになる。
【００５６】
したがって、１垂直捜査期間の残りの半分の期間は、ソースドライバ１１に送出されるＰＯＷＥＲ＿ＳＡＶＥ信号をハイレベルにすることで、該ソースドライバ１１を休止させることができ、消費電力の低減を図ることができる。
【００５７】
なお、第２ラインバッファ２２におけるデジタルビデオ信号ＤＡＴＡの書き込みおよび読み出し動作は、上述した第１ラインバッファ２１におけるデジタルビデオ信号ＤＡＴＡの書き込みおよび読み出し動作と逆のタイミングで行われるだけであり、動作自体は第１ラインバッファ２１と同じである。
【００５８】
ここで、通常表示時の第１ラインバッファ２１のデジタルビデオ信号ＤＡＴＡの書き込み動作と読み出し動作について、図６ないし図９を参照しながら以下に説明する。
【００５９】
上記第１スイッチ回路２４と第２スイッチ回路２５とは、図８に示すタイミングチャートに基づいて切替制御されている。これは、前述した拡大表示処理の場合の図４に示すタイミングチャートと同じである。例えば、第１スイッチ回路２４の切替制御を行うリードスイッチ制御信号ＲＳＷがハイレベルのとき、第１ラインバッファ２１にデジタルビデオ信号ＤＡＴＡが格納できるように切替え、リードスイッチ制御信号ＲＳＷがローレベルのとき、第２ラインバッファ２２にデジタルビデオ信号ＤＡＴＡが格納できるように切り替えるようにし、また、第２スイッチ回路２５の切替制御を行うライトスイッチ制御信号ＷＳＷがハイレベルのとき、第２ラインバッファ２２に格納されたデジタルビデオ信号ＤＡＴＡを読み出すように切替え、ライトスイッチ制御信号ＷＳＷがローレベルのとき、第１ラインバッファ２１に格納されたデジタルビデオ信号ＤＡＴＡを読み出すように切替える。
【００６０】
なお、リードスイッチ制御信号ＲＳＷとライトスイッチ制御信号ＷＳＷとは、１水平走査期間毎に極性が反転するようになっている。つまり、各ラインバッファにおけるデジタルビデオ信号ＤＡＴＡの書き込みと読み出しとが１水平期間毎に切り替わるようになっている。
【００６１】
以上のことから、ある１水平走査期間では、第１ラインバッファ２１はデジタルビデオ信号ＤＡＴＡの書き込み動作で第２ラインバッファ２２はデジタルビデオ信号ＤＡＴＡの読み出し動作となり、次の１水平走査期間では、第１ラインバッファ２１はデジタルビデオ信号ＤＡＴＡの読み出し動作で第２ラインバッファ２２はデジタルビデオ信号ＤＡＴＡの書き込み動作となる。
【００６２】
次に、図６および図７に示すタイミングチャートを用いて、第１ラインバッファ２１のデジタルビデオ信号ＤＡＴＡの書き込み動作と読み出し動作について説明する。
【００６３】
図６は、ある１水平走査期間において、第１ラインバッファ２１へのデジタルビデオ信号ＤＡＴＡの書き込み動作を示すタイミングチャートである。このタイミングチャートでは、１水平走査期間を、コントロール回路２３から送出されるドットクロックＷＣＫ１のｎ周期分としている。
【００６４】
図６のタイミングチャートに示すように、１水平走査期間、コントロール回路２３から第１ラインバッファ２１に送出されるライトネーブル信号ＷＥ１をハイレベルにすることで、第１ラインバッファ２１には、デジタルビデオ信号ＤＡＴＡの１ライン分が書き込まれるように制御される。
【００６５】
図７は、図６に示す１水平走査期間の次の１水平走査期間において、第１ラインバッファ２１からのデジタルビデオ信号ＤＡＴＡの読み出し動作を示すタイミングチャートである。このタイミングチャートでは、１水平走査期間を、コントロール回路２３からクロック信号Ｓ＿ＣＫとして表示部１０に転送される転送クロックＯＵＴＣＫのｎ周期分としている。なお、この転送クロックＯＵＴＣＫは、外部の信号源３０からのクロック周波数そのままとなるように制御されている。
【００６６】
図７のタイミングチャートに示すように、ラインバッファリード用クロックＲＣＫ１が転送クロックＯＵＴＣＫと同じ周期になるようにコントロール回路２３にて制御されている。したがって、表示部１０のソースドライバ１１へは、同じデジタルビデオ信号ＤＡＴＡが１回だけ送出されることになるので、画像は横方向に拡大されない。
【００６７】
ソースドライバ１１へのデジタルビデオ信号ＤＡＴＡの送出処理に並行して、ゲートドライバ１２は、図９に示すように、走査信号線ＧＬｉを１本ずつ選択している。このように、走査信号線ＧＬｉを１本ずつ選択することで、画像の縦方向にも拡大されない。
【００６８】
したがって、上記の拡大表示処理の場合のように、ゲートドライバ１２による走査が１垂直走査期間の半分の期間ではなく、全期間走査が行われるので、ソースドライバ１１へのＰＯＷＥＲ＿ＳＡＶＥ信号はローレベルのままとなる。
【００６９】
なお、第２ラインバッファ２２におけるデジタルビデオ信号ＤＡＴＡの書き込みおよび読み出し動作は、上述した第１ラインバッファ２１におけるデジタルビデオ信号ＤＡＴＡの書き込みおよび読み出し動作と逆のタイミングで行われるだけであり、動作自体は第１ラインバッファ２１と同じである。
【００７０】
以上のように、本発明の画像表示装置は、デジタル映像信号が表示データ（デジタルビデオ信号ＤＡＴＡ）として入力されることで画像表示を行う画像表示部である表示部１０と、外部のデジタル映像信号源である外部の信号源３０の１水平走査期間の表示データのうち、ｎ（ｎ＞１）分の１の表示データを格納する２つの記憶手段である第１ラインバッファ２１および第２ラインバッファ２２と、上記外部の信号源３０の１水平走査期間毎に、表示データのうち、ｎ（ｎ＞１）分の１の表示データを一方のラインバッファに記憶させると共に、他方のラインバッファに格納された表示データを読み出して上記画像表示部に転送させる制御手段としてのコントロール回路２３とを有し、上記コントロール回路２３は、上記ラインバッファに格納された表示データの読み出しクロック周波数であるラインバッファリード用クロックＲＣＫの周波数を、該ラインバッファに格納された表示データの上記表示部１０への転送クロックＯＵＴＣＫの周波数のｎ（ｎ＞１）分の１になるように設定するようになっている。
【００７１】
したがって、各ラインバッファに格納された表示データのラインバッファリード用クロックＲＣＫの周波数を、該ラインバッファに格納された表示データの上記表示部１０への転送クロックＯＵＴＣＫの周波数のｎ（ｎ＞１）分の１になるように設定することで、該ラインバッファに格納された外部の信号源３０の１水平走査期間の表示データのうち、ｎ分の１の表示データを、表示部１０へｎ回続けて転送することになる。これにより、画像を横方向にｎ倍拡大させることができる。
【００７２】
このように、ラインバッファに格納されている表示データのラインバッファリード用クロックＲＣＫの周波数を、表示部１０への転送クロックＯＵＴＣＫの周波数に対して、変更するだけで、簡単に画像の拡大表示、ここでは横方向の拡大表示を行うことができる。
【００７３】
従って、従来のように、拡大表示をプログラム処理を行う必要がないので、外部信号源（パソコン等）に負担をかけずに、高速に、且つ低消費電力で画像の拡大表示を可能としている。
【００７４】
また、上記ラインバッファは、１水平走査期間の表示データのうち、ｎ分の１の表示データのみが格納されるようになっているので、ラインバッファの記憶容量は小さくてもよい。つまり、１水平走査期間の表示データ分、すなわち１ライン分の表示データが格納できるラインバッファで十分である。
【００７５】
したがって、従来のように、表示画面全体の表示データを格納するフレームメモリのような大型のメモリを必要としないので、画像表示装置の小型化を図ることが可能となり、携帯電話等の小型機器に搭載可能となる。
【００７６】
また、上記表示部１０内の走査信号線駆動回路であるゲートドライバ１２は、ｎ（ｎ＞１）本の走査信号線ＧＬを同時に選択可能な駆動信号を生成するようになっているので、走査信号線をｎ行ずつ選択することが可能となり、画像を縦方向にｎ倍に拡大することができる。
【００７７】
したがって、上述のように、画像は横方向にｎ倍拡大されるようになっているので、縦横方向に２倍に拡大された表示画像を得ることができる。
【００７８】
しかも、上記ゲートドライバ１２が、同時に選択可能な走査信号線ＧＬの本数は、画像の横方向の倍率に関係なく設定してもよい。
【００７９】
例えば、ラインバッファからのデジタルビデオ信号ＤＡＴＡの読み出しクロック（ラインバッファリード用クロックＲＣＫ）の周波数と表示部１０への転送クロックＯＵＴＣＫの周波数とが同じ場合、すなわち画像を横方向に拡大しない場合でも、画像を縦方向にのみ拡大するようにしてもよい。
【００８０】
このように、画像の横方向と縦方向の倍率を個々の設定するようにすれば、画像の横の倍率と縦の倍率とを異ならせて表示でき、画像の拡大表示における自由度が増す。
【００８１】
また、本発明の画像表示装置は、以下のように構成してもよい。
【００８２】
すなわち、本発明の画像表示装置は、デジタル映像信号を入力とするデジタル方式の画像表示装置において、外部デジタル映像信号源の一水平走査期間のデータのうち、ｎ分の１のデータを格納するラインバッファ２本と、前記２本のラインバッファを受信用と送信用に切り替えるための２個のスイッチ回路と、前記２本のラインバッファ及び２個のスイッチを制御するコントロール回路からなる表示データ処理回路と、同時にｎ本までの走査信号線を選択可能な走査信号線駆動回路を有する構成であってもよい。
【００８３】
この場合、１水平走査期間のｎ分の１のデータを格納するラインバッファでは、外部デジタル映像信号源からの１水平走査期間の所望の位置からのｎ分の１のデータを格納する。このラインバッファは前述のスイッチ回路により次の１水平走査期間ではソースドライバへのデータ出力用に切り替えられ、他のラインバッファ２は前述のスイッチ回路により外部デジタル映像信号源からデータ受信用に切り替えられる。出力用に切り替えられたラインバッファ１はコントロール回路により、バッファからの読み出しクロック周波数はｎ分の１でソースドライバへの転送クロック周波数は、外部信号源からのクロック周波数のままとすることにより同じデータを続けてｎ回、ソースドライバへ流すことにより、画像は横方向にｎ倍拡大される。
【００８４】
また、ゲートドライバは画素ＴＦＴのゲートを同時にｎ行ずつ開くことにより画像は縦方向にｎ倍拡大される。
【００８５】
また、ｎ行ずつ同時に画素書き込み行うことにより全画面の書き換え時間を１／ｎとして、残りの時間はソースドライバを休止状態にすることにより低消費電力化を図るようにしてもよい。
【００８６】
以上説明したように、本発明による画像表示装置を用いることにより、外部信号源に負担を与えることなく低消費電力で高速にｎ倍の拡大表示が行える画像表示装置を実現できる。
【００８７】
しかも、拡大表示するために必要な信号処理部２０は、第１ラインバッファ２１、第２ラインバッファ２２、コントロール回路２３、第１スイッチ回路２４、第２スイッチ回路２５のみで構成されるので、表示部１０に搭載可能であり、小型の拡大表示機能付きの画像表示装置を容易に実現することができる。
【００８８】
したがって、この画像表示装置は、小型機器、例えば携帯電話、携帯用のパソコン、電子手帳等の画像表示装置に好適に用いることができる。
【００８９】
【発明の効果】
以上のように、本発明の画像表示装置は、デジタル映像信号が表示データとして入力されることで画像表示を行う画像表示部と、外部のデジタル映像信号源の１水平走査期間の表示データのうち、ｎ（ｎ＞１）分の１の表示データを格納する記憶手段と、上記デジタル映像信号源の１水平走査期間毎に、表示データのうち、ｎ（ｎ＞１）分の１の表示データを一方の記憶手段に記憶させると共に、他方の記憶手段に格納された表示データを読み出して上記画像表示部に転送させる制御手段とを有し、上記制御手段は、上記記憶手段に格納された表示データの読み出しクロック周波数を、該記憶手段に格納された表示データの上記画像表示部への転送クロック周波数のｎ（ｎ＞１）分の１になるように設定する構成である。
【００９０】
それゆえ、記憶手段に格納されている表示データの読み出しクロック周波数を、画像表示部への転送クロック周波数に対して、変更するだけで、簡単に画像の拡大表示、ここでは横方向の拡大表示を行うことができる。
【００９１】
従って、従来のように、拡大表示をプログラム処理によって行う必要がないので、外部信号源（パソコン等）に負担をかけずに、高速に、且つ低消費電力で画像の拡大表示を可能としている。
【００９２】
また、上記記憶手段は、１水平走査期間の表示データのうち、ｎ分の１の表示データのみが格納されるようになっているので、記憶手段の記憶容量は小さくてもよい。つまり、１水平走査期間の表示データ分、すなわち１ライン分の表示データが格納できるラインバッファのような容量およびサイズの小さいな記憶手段で十分である。
【００９３】
したがって、従来のように、表示画面全体の表示データを格納するフレームメモリのような大型のメモリを必要としないので、画像表示装置の小型化を図ることが可能となり、携帯電話等の小型機器に搭載可能となるという効果を奏する。
【図面の簡単な説明】
【図１】本発明の一実施の形態に係る画像表示装置の概略を示すブロック図である。
【図２】図１に示す画像表示装置の第１ラインバッファにおける拡大表示時のデジタルビデオ信号の書き込み動作を示すタイミングチャートである。
【図３】図１に示す画像表示装置の第１ラインバッファにおける拡大表示時のデジタルビデオ信号の読み出し動作を示すタイミングチャートである。
【図４】図１に示す画像表示装置の第１スイッチ回路と第２スイッチ回路との切り替え動作を示すタイミングチャートである。
【図５】図１に示すゲートドライバにおける拡大表示時の入出力信号のタイミングチャートである。
【図６】図１に示す画像表示装置の第１ラインバッファにおける通常表示時のデジタルビデオ信号の書き込み動作を示すタイミングチャートである。
【図７】図１に示す画像表示装置の第１ラインバッファにおける通常表示時のデジタルビデオ信号の読み出し動作を示すタイミングチャートである。
【図８】図１に示す画像表示装置の第１スイッチ回路と第２スイッチ回路との切り替え動作を示すタイミングチャートである。
【図９】図１に示すゲートドライバにおける通常表示時の入出力信号のタイミングチャートである。
【図１０】従来の画像表示装置の拡大処理の流れを示す概略ブロック図である。
【符号の説明】
１０　　　　表示部（画像表示部）
１１　　　　ソースドライバ（データ信号線駆動回路）
１２　　　　ゲートドライバ（走査信号線駆動回路）
２０　　　　信号処理部
２１　　　　第１ラインバッファ（記憶手段）
２２　　　　第２ラインバッファ（記憶手段）
２３　　　　コントロール回路（制御手段）
２４　　　　第１スイッチ回路
２５　　　　第２スイッチ回路
３０　　　　信号源（デジタル映像信号源）
ＤＡＴＡ　　デジタルビデオ信号
Ｇ＿ＣＫ　　クロック信号
Ｇ＿ＳＰ　　スタート信号
ＧＬ　　　　走査信号線
ＨＳＹＮ　　水平同期信号
ＯＵＴＣＫ　転送クロック
ＲＣＫ　　　ラインバッファリード用クロック
ＲＥ　　　　リードネーブル信号
ＲＳＷ　　　リードスイッチ制御信号
Ｓ＿ＣＫ　　クロック信号
Ｓ＿ＳＰ　　スタート信号
ＳＬ　　　　データ信号線
ＴＦＴ　　　画素
ＶＳＹＮ　　垂直同期信号
ＷＣＫ　　　ドットクロック
ＷＥ　　　　ライトネーブル信号
ＷＳＷ　　　ライトスイッチ制御信号
【図１】
2004012995.tif 000003
【図２】
2004012995.tif 000004
【図３】
2004012995.tif 000005
【図４】
2004012995.tif 000006
【図５】
2004012995.tif 000007
【図６】
2004012995.tif 000008
【図７】
2004012995.tif 000009
【図８】
2004012995.tif 000010
【図９】
2004012995.tif 000011
【図１０】
2004012995.tif 000012